(57)【要約】【課題】収納凹部体内に砂、埃等が堆積しても防水扉を押し上げて起立させることができる防水扉装置を提供する。【解決手段】駆動軸２０に支持アーム２２と駆動車２９を取付け、支持アーム２２の先端部に連結された中間軸２３に回動アーム２４と回動車２８を取付け、駆動軸２０の駆動により、駆動車２９、回動車２８を介して回動アーム２４の先端部２４ａを上方向に回転させると共に基部２４ｂを上方向に上昇させることで、回動アーム２４の先端部２４ａに連結された防水扉３の先端部３ａが上方向に押し上げられる。【選択図】  図８
2004353237.tif 000002
【特許請求の範囲】
【請求項１】
出入口の床面に埋設された収納凹部体に防水扉を配設し、その防水扉を収納凹部体の開口を閉塞する状態から前記出入口を閉塞する状態に起立させるようにした防水扉装置において、収納凹部体の防水扉の先端部側に防水扉枢軸と同方向の駆動軸を回転可能に設け、その駆動軸を中心にして回動可能な支持アームを先端部が防水扉の基部に向くように設け、駆動軸に駆動車を固着し、支持アームの先端部に防水扉の先端部に向く回動アームの基部を中間軸を介して回動可能に設け、その回動アームに中間軸を中心とする回動車を固着し、回動アームの先端部を防水扉に連結し、駆動車と回動車に帯状体を懸回し、駆動軸により帯状体を介して回動車を回動させると回動アームが上昇しながら回動して防水扉を起立させるようにしたことを特徴とする防水扉装置。
【請求項２】
回動アームの先端部を防水扉に長孔とピンを介して連結したことを特徴とする請求項１記載の防水扉装置。
【請求項３】
駆動車と回動車を夫々チェーンホイールで構成し、帯状体を無端チェーンで構成したことを特徴とする請求項１又は２記載の防水扉装置。
【請求項４】
回動アームが支持アームに対して略直線状になるように回動したとき防水扉が起立するように回動アームと支持アームの長さを設定したことを特徴とする請求項１乃至３の何れかに記載の防水扉装置。
【請求項５】
駆動軸に連結されている操作軸に手動ハンドルで回転可能な操作部を設け、操作部の上方に人手で開閉可能な蓋部材を備え、停電時に手動で駆動軸を回転操作可能にしたことを特徴とする請求項１乃至４の何れかに記載の防水扉装置。
【発明の詳細な説明】
【０００１】
【発明の属する技術分野】
本発明は、主に建物や駐車場等の出入口からの浸水を防止する防水扉装置に関する。
【０００２】
【従来の技術】
従来、防水扉装置は、建物や駐車場等の出入口の床面に埋設されたピット（収納凹部体）に防水扉を配設し、その防水扉を上下に枢動するリフトレバー（特許文献１）や前後に揺動する駆動レバー（特許文献２）によってピットの開口を閉塞する状態から前記出入口を閉塞する状態に起立させるものが知られている。
特許文献１では、ピット内に最終減速機の回転軸に取り付けられたリフトレバーが備えてあり、駆動機構を介して駆動される最終減速機によってリフトレバーの先端が上向きに枢動されることで、ピット内に一側が枢着された防水扉の他側を押し上げて起立させるようになっている。
特許文献２では、ケース（収容凹部体）内に防水扉の下面に対して前後に移動可能に係合する駆動レバーと、その駆動レバーを前後に揺動させるチェーンとが備えてあり、駆動機構を介して走行駆動されるチェーンによって駆動レバーの先端が前方（上向き）に揺動されることで、ケース内に前部が起倒自在に装着された防水扉の後部側を押し上げて起立させるようになっている。
【０００３】
【特許文献１】
特開平６−２５７３４５号公報
【特許文献２】
特開２０００−２２６９６５号公報
【０００４】
【発明が解決しようとする課題】
特許文献１の防水扉装置は、リフトレバーの基部を最終減速機の回転軸に取り付けるとともに、先端の揺動端を防水扉の下面に当接させている。特許文献２の防水扉装置は、駆動レバーの基部を防水扉の下方のブラケットに回転自在に連結するとともに、先端に装着されているローラを防水扉の下面に形成した隙間内に係合させている。このことから、リフトレバーの先端及び駆動レバーの先端を上向きに枢動、或いは揺動することで、リフトレバーの先端及び駆動レバーの先端が防水扉の下面に沿って移動しながら下面を押し上げて起立させるようになっている。ところが、防水扉は水害等がない限りピット（ケース）の開口を閉塞する状態のまま長時間放置されるので、床面と防水扉との隙間からピット（ケース）内に侵入した砂、埃等が堆積し、その砂、埃等によってリフトレバーの先端及び駆動レバーの先端が防水扉の下面に沿って移動できないおそれがあった。そこで、本発明の課題は、収納凹部体内に砂、埃等が堆積しても防水扉を押し上げて起立させることができる防水扉装置を提供することにある。
【０００５】
【課題を解決するための手段】
上記課題解決のため、本願では、収納凹部体の防水扉の先端部側に防水扉枢軸と同方向の駆動軸を回転可能に設け、その駆動軸を中心にして回動可能な支持アームを先端部が防水扉の基部に向くように設け、駆動軸に駆動車を固着し、支持アームの先端部に防水扉の先端部に向く回動アームの基部を中間軸を介して回動可能に設け、その回動アームに中間軸を中心とする回動車を固着し、回動アームの先端部を防水扉に連結し、駆動車と回動車に帯状体を懸回し、駆動軸により帯状体を介して回動車を回動させると回動アームが上昇しながら回動して防水扉を起立させるようにした。
【０００６】
具体的には、回動アームの先端部を防水扉に長孔とピンを介して連結した。そして、駆動車と回動車を夫々チェーンホイールで構成し、帯状体を無端チェーンで構成した。回動アームが支持アームに対して略直線状になるように回動したとき防水扉が起立するように回動アームと支持アームの長さを設定した。
【０００７】
更に、駆動軸に連結されている操作軸に手動ハンドルで回転可能な操作部を設け、操作部の上方に人手で開閉可能な蓋部材を備え、停電時に手動で駆動軸を回転操作可能にした。
【０００８】
【発明の実施の形態】
実施の形態について図面を参照して説明する。図１〜３に示す防水扉装置１は、建物や駐車場等の出入口の床面Ｆに埋設された収納凹部体２に防水扉３を配設し、その防水扉３を収納凹部体２の開口を閉塞する状態（図２）から前記出入口を閉塞する状態（図８）に起立させるようになっている。前記収納凹部体２は上方を開口した箱型形状であって、出入口の床面Ｆに形成された収納凹部４に設置されている。収納凹部４は、大きな長方形状に形成された大凹部４ａと、大凹部４ａの後方側中央部に形成された小さな長方形状の小凹部４ｂとから構成されている。収納凹部４に沿って縁材５が取り付けられ、縁材５の下面を収納凹部体２の上端面２ａに当接させてある。収納凹部体２の前板２ｂ側にはパッキン部材６を備えた扉枠７が左、右に一対立設されている。また、収納凹部体２の前板２ｂには水平方向のパッキン部材８が取り付けてあり、そのパッキン部材８の両端を、扉枠７の垂直方向のパッキン部材６下端側と連続させてある。前記小凹部４ｂに設けた収納凹部体２の小収納体２Ｑには蓋部材９が開閉可能に備えてある。この収納凹部体２には図示しない配管が連結され、その配管を通って収納凹部体２内に侵入してきた水を排水するようにしてある。
【０００９】
収納凹部体２の底板２ｄには、前板２ｂ側の左、右に夫々第１ブラケット１０が固定的に設置されている。その第１ブラケット１０には、上部１１ａが前後に揺動するように枢支リンク１１の下部１１ｂがピン部材１２を介して連結されている。防水扉３は収納凹部体２の開口部分を塞ぐように形成されたものであって、その防水扉３の基部３ｂ下面には前記第１ブラケット１０に対峙するように枢支部１３が突設されている。両枢支部１３に備えた枢軸１４には前記枢支リンク１１の上部１１ａが連結されている。よって、防水扉３は枢支リンク１１を介してピン部材１２を中心に前後方向に移動すると共に、枢軸１４を中心に防水扉３の先端部３ａが上下方向に揺動するようになっている。また、防水扉３の下方への揺動は、収納凹部体２の後板２ｃに固着された断面Ｌ字状の支持材１５によって規制されている。その断面Ｌ字状の支持材１５は、防水扉３の先端部３ａが当接した時に、防水扉３の上面が床面Ｆと面一となるように取り付けられている。
【００１０】
また、収納凹部体２の底板２ｄには、後板２ｃ側の中央部に駆動モータ１６が設置されている。駆動モータ１６の回転軸１６ａには、図４に示すようにウォーム部１７ａを備えた操作軸１７が連結されている。その操作軸１７のウォーム部１７ａと噛み合うウォームホイール１８ａを備えた回転軸１８が設けられている。操作軸１７の先端は小凹部４ｂに設けた小収納体２Ｑ内に突出しており、その先端には図示しない手動ハンドルで操作軸１７を回転可能な操作部１７ｂが設けられている。回転軸１８の両端にはカップリング部材１９を介して上記枢軸１４と同方向の駆動軸２０が連結されている。各駆動軸２０の他端は、底板２ｄの後板２ｃ側の左、右に夫々設置された第２ブラケット２１に支持されている。各駆動軸２０の他端側には、駆動軸２０を中心にして回動可能な２本の支持アーム２２が間隔をあけて取り付けられている。各支持アーム２２の先端部２２ａは防水扉３の基部３ｂに向くように設けられ、各先端部２２ａは中間軸２３によって連結されている。中間軸２３には、支持アーム２２間の部分に中間軸２３を中心にして回動可能な回動アーム２４の基部２４ｂが取り付けられている。その回動アーム２４の先端部２４ａは防水扉３の先端部３ａに向くように設けられ、先端部２４ａには長孔２５が形成されている。尚、本実施形態では、駆動モータ１６の駆動により駆動軸２０を回動させるようにしてあるが、停電等により駆動モータ１６が駆動しない時には、図示しない手動ハンドルによって駆動軸２０を回動させることができる。
【００１１】
防水扉３の先端部３ａの下面には、上記駆動軸２０と同方向のピン２６を備えた第３ブラケット２７が突設されている。そのピン２６が回動アーム２４の先端部２４ａに形成された長孔２５に係合されることで、回動アーム２４と防水扉３とが連結されている。尚、回動アーム２４の先端部２４ａにピンを設け、第３ブラケット２７にピンと係合する長孔を設けても良い。回動アーム２４には中間軸２３を中心とする回動車である第１チェーンホイール２８が固着されている。駆動軸２０には、支持アーム２２間の部分に駆動車である第２チェーンホイール２９が固着されている。第１チェーンホイール２８と第２チェーンホイール２９には帯状体である無端チェーン３０が懸回されている。よって、駆動軸２０の駆動により第２チェーンホイール２９が回動されると、無端チェーン３０、第１チェーンホイール２８を介して回動アーム２４が中間軸２３を中心に回動し、回動アーム２４の先端部２４ａに連結された防水扉３の先端部３ａを上下方向に揺動させることになる。更に、回動アーム２４の先端部２４ａが、枢軸１４を中心に揺動する第３ブラケット２７の移動軌跡に沿って上下方向に移動することで、回動アーム２４が取り付けられた支持アーム２２の先端部２２ａが駆動軸２０を中心に上下方向に揺動されることになる。本実施形態では、回動アーム２４が支持アーム２２に対して略直線状となるように回動したときに、防水扉３が略垂直に起立するように回動アーム２４と支持アーム２２の長さＬ１，Ｌ２が設定されている。尚、回動車や駆動車をタイミングプーリで構成し、帯状体をタイミングベルトで構成しても良い。
【００１２】
支持アーム２２の基部２２ｂ間における駆動軸２０には回転カム３１が固着されている。その回転カム３１には図３に示すようにカム溝３１ａが形成されている。収納凹部体２と防水扉３とを連結する枢支リンク１１には、作動リンク３２の一端部３２ａがピン部材３３を介して連結されている。作動リンク３２の他端部３２ｂには、ピン部材３４を介して支持リンク３５の上部３５ａが連結されている。支持リンク３５の下部３５ｂはピン部材３６を介して第２ブラケット２１に連結されている。作動リンク３２の他端部３２ｂには前記カム溝３１ａに嵌合するカムフォロア３７が取り付けてある。よって、回転カム３１を回転させるとカム溝３１ａに沿って作動リンク３２が前後に移動することで、作動リンク３２の一端部３２ａが連結された枢支リンク１１の上部１１ａが前後方向に揺動するようになっている。回転カム３１のカム溝３１ａは、枢軸１４を中心にして防水扉３の先端部３ａが上方向へ揺動し始めるときに、防水扉３の枢軸１４を後板２ｃ側（後方側）へ移動させて防水扉３の基部３ｂ端面が縁材５に接触しないようにし、防水扉３が起立し終わるときに、防水扉３の枢軸１４を前板２ｂ側（前方側）へ移動させて防水扉３の基部３ｂを扉枠７のパッキン部材６、収納凹部体２のパッキン部材８に押し付けるように形成されている。
【００１３】
次に、上記のように構成した防水扉装置１の作動について説明する。建物や駐車場等の出入口の床面Ｆに設置される防水扉装置１は、通常、防水扉３を収納凹部体２の開口を閉塞する状態としてある（図１の状態）。また、支持材１５を介して防水扉３の上面を床面Ｆと面一としてあるので、歩行者や自動車等の通行の障害となることがない。大雨によって建物や駐車場等の出入口に浸水が生じる恐れが発生した場合には、駆動モータ１６により駆動軸２０を駆動して、回転カム３１と第２チェーンホイール２９を図１の状態から逆回転（反時計回り）させる。回転カム３１が図５〜７に示すように回転すると、作動リンク３２を介して枢支リンク１１の上部１１ａ（枢軸１４）が収納凹部体２の後板２ｃに向けて揺動された後、再び元の位置に揺動されるようになっている。第２チェーンホイール２９が図５〜７に示すように回転すると、無端チェーン３０、第１チェーンホイール２８を介して回動アーム２４の先端部２４ａが中間軸２３を中心に上方向に回転されるので、防水扉３の先端部３ａが枢軸１４中心に上方向に押し上げられると共に、支持アーム２２の先端部２２ａが駆動軸２０を中心に上方向に上昇する。
【００１４】
その後、回転カム３１と第２チェーンホイール２９が図８に示す位置まで回転し、回動アーム２４が支持アーム２２に対して略直線状となった時に駆動モータ１６が停止され、防水扉３の上面が扉枠７のパッキン部材６、収納凹部体２のパッキン部材８に当接した状態となる。この起立した防水扉３によって出入口を閉塞することで、出入口からの浸水が防止されることになる。このことから、駆動モータ１６の駆動により第２チェーンホイール２９、無端チェーン３０、第１チェーンホイール２８を介して回動アーム２４の先端部２４ａを上方向に回転させると共に基部２４ｂを上方向に上昇させることで、回動アーム２４の先端部２４ａと連結された防水扉３を収納凹部体２の開口を閉塞する状態から出入口を閉塞する状態に起立させることが可能となる。従って、収納凹部体２内に砂、埃等が堆積しても、防水扉３に連結した回動アーム２４を上昇しながら回動させるだけで確実に防水扉３を押し上げて起立させることができる。また、防水扉３によって再び収納凹部体２の開口を閉塞する場合には、駆動軸２０を図８の状態から正回転（時計回り）させることで、上記と逆に作動して防水扉３の先端部３ａが下方向へ移動して収納凹部体の開口が閉塞される。尚、本実施形態では、防水扉３によって収納凹部体２の開口を閉塞する状態（図２の状態）で、防水扉３の基部３ｂと収納凹部体２の前板２ｂ又は収納凹部４の前側面との間に大きな隙間が生じないようにして安全性を高めたりゴミの侵入を防止しているが、両者が干渉しないように両者間に比較的大きな間隔を設ける場合は、防水扉３の枢軸１４を固定的に設け、枢支リンク１１，作動リンク３２，支持リンク３５，回転カム３１を省き、長孔２５を丸孔にしても良い。
【００１５】
【発明の効果】
以上のように本願では、請求項１の発明は、収納凹部体の防水扉先端側位置に防水扉枢軸と同方向の駆動軸を回転可能に設け、その駆動軸を中心にして回動可能な支持アームを先端部が防水扉基部方向に向くように設け、駆動軸に駆動車を固着し、支持アームの先端部に防水扉先端部方向に向く回動アームの基部を中間軸を介して回動可能に設け、その回動アームに中間軸を中心とする回動車を固着し、回動アームの先端部を防水扉に連結し、駆動車と回動車に帯状体を懸回し、駆動軸により帯状体を介して回動車を回動させると回動アームが上昇しながら回動して防水扉を起立させるようにしたので、実質的に回動部分の機構のみによって防水扉を回動でき、装置の性能を長期に亘って維持できる。また、防水扉の先端部近くを簡易な構成で押し上げることができ、小さな動力で防水扉を起立できる。
【００１６】
請求項２の発明は、回動アームの先端部を防水扉に長孔とピンを介して連結したので、回動アームの回動中において、回動アームと防水扉の一方に設けた長孔と他方に設けたピンとを相対移動させて両者が干渉するのを防止でき、加工や組付の精度を低くしてコストを低くできると共に防水扉を円滑に起立させることができる。
【００１７】
請求項３の発明は、駆動車と回動車を夫々チェーンホイールで構成し、帯状体を無端チェーンで構成したので、水に漬かったり埃が掛かっても支持アームや回動アームを確実に回動させることができる。
【００１８】
請求項４の発明は、回動アームが支持アームに対して略直線状になるように回動したとき防水扉が起立するように回動アームと支持アームの長さを設定したので、起立位置の防水扉を略直線状の支持アームと回動アームによって長時間に亘って安定して位置保持できる。
【００１９】
請求項５の発明は、駆動軸に連結されている操作軸に手動ハンドルで回転可能な操作部を設け、操作部の上方に人手で開閉可能な蓋部材を備え、停電時に手動で駆動軸を回転操作可能にしたので、停電時に人手によって防水扉を起立させて水の浸入を阻止できる利点がある。
【図面の簡単な説明】
【図１】本発明の防水扉装置であって、防水扉の下面から下方を見た図である。
【図２】図１のＩＩ−ＩＩ線断面図である。
【図３】図１のＩＩＩ−ＩＩＩ線断面図である。
【図４】図１のＸ部拡大部分断面図である。
【図５】駆動軸の回動により駆動車と回転カムとが回転した状態を示す図である。
【図６】駆動軸の回動により駆動車と回転カムとが回転した状態を示す図である。
【図７】駆動軸の回動により駆動車と回転カムとが回転した状態を示す図である。
【図８】防水扉によって出入口を閉塞した状態を示す図である。
【符号の説明】
１    防水扉装置
２    収納凹部体
３    防水扉
３ａ  先端部
３ｂ  基部
９    蓋部材
１４    枢軸
１７    操作軸
１７ａ  操作部
２０    駆動軸
２２    支持アーム
２２ａ  先端部
２３    中間軸
２４    回動アーム
２４ａ  先端部
２４ｂ  基部
２５    長孔
２６    ピン
２８    回動車
２９    駆動車
３０    無端チェーン
【図１】
2004353237.tif 000003
【図２】
2004353237.tif 000004
【図３】
2004353237.tif 000005
【図４】
2004353237.tif 000006
【図５】
2004353237.tif 000007
【図６】
2004353237.tif 000008
【図７】
2004353237.tif 000009
【図８】
2004353237.tif 000010